(57)【要約】      （修正有）【課題】部品点数が増加するのを抑制しながら、小型化を図ることが可能なディスク装置付きテレビジョンおよびディスク装置付き表示装置を提供する。【解決手段】このＤＶＤ一体型テレビジョン１（ディスク装置付きテレビジョンおよびディスク装置付き表示装置）は、ＤＶＤ駆動装置７と、ＤＶＤ駆動装置７により再生される映像を表示するＣＲＴ４と、ＤＶＤ駆動装置７の上面に設けられているとともに、取付部８ｅを含むカバー部材８と、カバー部材８の取付部８ｅに取り付けられているとともに、ＤＶＤ駆動装置７を制御するためのＤＶＤ用配線基板１０と、ＤＶＤ駆動装置７の下方にＤＶＤ駆動装置７と重なるように配置されているとともに、ＣＲＴ４による表示動作を制御するためのメイン配線基板６と、メイン配線基板６の表面に対して垂直方向に延びるように取り付けられているとともに、ＤＶＤ用配線基板１０に支持される中継基板９とを備える。【選択図】図２
0003120036.tif 000002
【実用新案登録請求の範囲】
【請求項１】
ディスク装置本体を含むディスク装置と、少なくとも前記ディスク装置により再生される映像を表示する陰極線管と、前記ディスク装置本体の上面に設けられたカバー部材と、前記ディスク装置を制御するための第１配線基板と、前記陰極線管による表示動作を制御するための第２配線基板とを備えたディスク装置付きテレビジョンにおいて、
前記カバー部材は、取付部を含み、
前記第１配線基板は、前記カバー部材の取付部に取り付けられているとともに、前記第１配線基板の表面と平行な方向に突出した第１端子部を含み、
前記第２配線基板は、前記ディスク装置本体の下方に前記ディスク装置本体と重なるように配置され、
前記第２配線基板の表面に対して垂直方向に延びるように取り付けられているとともに、前記第１配線基板に支持され、かつ、前記第１配線基板と前記第２配線基板との間に配置された中継基板と、前記第２配線基板の下方に配置されているとともに、前記第２配線基板および前記ディスク装置を支持する保持部材とをさらに備え、
前記保持部材は、前記中継基板の側端面を前記第２配線基板に対して垂直方向に延びるようにガイドするためのガイド部を一体的に含み、
前記中継基板は、前記第１配線基板の第１端子部が挿入される第１端子挿入孔と、前記中継基板の表面と平行な方向に突出した第２端子部とを含み、
前記第１配線基板の第１端子部が前記中継基板の第１端子挿入孔に挿入された状態で、半田により前記第１配線基板の第１端子部と前記中継基板とが電気的に接続され、
前記第２配線基板は、前記中継基板の第２端子部が挿入される第２端子挿入孔と、前記保持部材のガイド部が前記第２配線基板から上方へ突出するように配置されるガイド部挿入孔とを含み、
前記中継基板の第２端子部が前記第２配線基板の第２端子挿入孔に挿入された状態で、半田により前記中継基板の第２端子部と前記第２配線基板とが電気的に接続されている、ディスク装置付きテレビジョン。
【請求項２】
ディスク装置本体を含むディスク装置と、
少なくとも前記ディスク装置により再生される映像を表示する陰極線管と、
前記ディスク装置本体の上面に設けられているとともに、取付部を含むカバー部材と、
前記カバー部材の取付部に取り付けられているとともに、前記ディスク装置を制御するための第１配線基板と、
前記ディスク装置本体の下方に前記ディスク装置本体と重なるように配置されているとともに、前記陰極線管による表示動作を制御するための第２配線基板と、
前記第２配線基板の表面に対して垂直方向に延びるように取り付けられているとともに、前記第１配線基板に支持され、かつ、前記第１配線基板と前記第２配線基板との間に配置された中継基板とを備え、
前記第１配線基板は、前記第１配線基板の表面と平行な方向に突出した第１端子部を含み、
前記中継基板は、前記第１配線基板の第１端子部が挿入される第１端子挿入孔を含む、ディスク装置付き表示装置。
【請求項３】
前記第１配線基板の第１端子部が前記中継基板の第１端子挿入孔に挿入された状態で、半田により前記第１配線基板の第１端子部と前記中継基板とが電気的に接続されている、請求項２に記載のディスク装置付き表示装置。
【請求項４】
前記中継基板は、前記中継基板の表面と平行な方向に突出した第２端子部を含み、
前記第２配線基板は、前記中継基板の第２端子部が挿入される第２端子挿入孔を含む、請求項２または３に記載のディスク装置付き表示装置。
【請求項５】
前記中継基板の第２端子部が前記第２配線基板の第２端子挿入孔に挿入された状態で、半田により前記中継基板の第２端子部と前記第２配線基板とが電気的に接続されている、請求項４に記載のディスク装置付き表示装置。
【請求項６】
前記第２配線基板の下方に配置されているとともに、前記第２配線基板および前記ディスク装置を支持する保持部材をさらに備え、
前記保持部材は、前記中継基板の側端面を前記第２配線基板に対して垂直方向に延びるようにガイドするためのガイド部を一体的に含み、
前記第２配線基板は、前記保持部材のガイド部が前記第２配線基板から上方へ突出するように配置されるガイド部挿入孔を含む、請求項２〜５のいずれか１項に記載のディスク装置付き表示装置。
【考案の詳細な説明】
【技術分野】
【０００１】
本考案は、ディスク装置付きテレビジョンおよびディスク装置付き表示装置に関し、特に、ディスク装置を制御するための配線基板を備えたディスク装置付きテレビジョンおよびディスク装置付き表示装置に関する。
【背景技術】
【０００２】
従来、ディスク装置などの映像再生装置の構造が知られている（たとえば、特許文献１参照）。上記特許文献１には、映像再生装置の構造としてビデオテープレコーダ（ＶＴＲ）の構造が開示されている。この特許文献１に開示されたＶＴＲでは、側面に３つのコネクタが設けられたメカデッキと、その３つのコネクタに接続される３つのコネクタが設けられた中継基板とを備え、メカデッキのコネクタと中継基板のコネクタとを接続することにより中継基板がメカデッキに取り付けられている。
【０００３】
また、従来では、ＤＶＤ（デジタル多用途ディスク）デッキなどのディスク装置の構造も知られている（たとえば、特許文献２および３参照）。上記特許文献２には、シャーシに取り付けられたホルダがメイン基板およびプログレッシブ基板を水平方向に支持するＤＶＤデッキの構造が開示されている。この特許文献２に開示されたＤＶＤデッキでは、プログレッシブ基板がメイン基板の上方に配置されるとともに、ＤＶＤユニットがホルダに水平方向に支持されるメイン基板およびプログレッシブ基板と水平方向に隣接するように設けられている。また、上記特許文献３には、ディスク駆動機構の本体の上面に載置された配線基板が、ディスク駆動機構の本体に設けられた２つの係止爪と、トップカバーに設けられた３つの膨出部とにより位置決めされたディスク装置の構造が開示されている。
【０００４】
また、従来では、ＤＶＤ駆動装置（ディスク装置）を備えたＤＶＤ一体型テレビジョン（ディスク装置付き表示装置）も知られている。図７は、従来のＤＶＤ一体型テレビジョンの全体構成を示した斜視図である。また、図８は、図７に示した従来のＤＶＤ一体型テレビジョンのＤＶＤ駆動装置近傍を示した平面図である。図９は、図７に示した従来のＤＶＤ一体型テレビジョンの支持部材を示した斜視図である。図７〜図９を参照して、従来のＤＶＤ一体型テレビジョンの構造について説明する。
【０００５】
従来のＤＶＤ一体型テレビジョン１０１は、図７および図８に示すように、ＤＶＤ一体型テレビジョン１０１の外枠を構成するフロントキャビネット１０２およびリアキャビネット１０３と、フロントキャビネット１０２に取り付けられたＣＲＴ（ＣＡＴＨＯＤＥ  ＲＡＹ  ＴＵＢＥ：陰極線管）１０４と、ＣＲＴ１０４の表示動作を制御するためのメイン配線基板１０５と、ＤＶＤ（図示せず）を駆動させるためのＤＶＤ駆動装置１０６と、ＤＶＤ駆動装置１０６の上面に設けられたカバー部材１０７と、ＤＶＤ駆動装置１０６を制御するためのＤＶＤ用配線基板１０８と、ＤＶＤ用配線基板１０８を支持するための支持部材１０９とを備えている。
【０００６】
また、図７に示すように、フロントキャビネット１０２には、後述するＣＲＴ１０４の表示領域１０４ａが露出される表示窓１０２ａと、電源などの各種操作ボタンが配置された操作部１０２ｂと、後述するＤＶＤ駆動装置１０６のディスクトレイ１０６ａをフロントキャビネット１０２の外部へ突出させるための開口部１０２ｃとが設けられている。また、開口部１０２ｃには、ＤＶＤ駆動装置１０６のディスクトレイ１０６ａの突出および収納に連動して開閉するドア部材１２１が取り付けられている。また、リアキャビネット１０３は、フロントキャビネット１０２に対して図示しないねじにより、フロントキャビネット１０２に取り付けられている。
【０００７】
また、ＣＲＴ１０４は、図７に示すように、表示領域１０４ａがフロントキャビネット１０２の表示窓１０２ａから露出した状態でフロントキャビネット１０２に取り付けられている。また、ＣＲＴ１０４の下方に配置されたＣＲＴ１０４の表示動作を制御するためのメイン配線基板１０５には、図８に示すように、ねじ１５１によりＤＶＤ駆動装置１０６が取り付けられている。
【０００８】
また、ＤＶＤ駆動装置１０６は、図８に示すように、ディスクトレイ１０６ａと、ディスクトレイ１０６ａが前後方向にスライド可能に取り付けられたＤＶＤ駆動装置本体部（ディスク装置本体）１０６ｂとを含んでいる。また、ディスクトレイ１０６ａは、前後方向にスライドすることにより、フロントキャビネット１０２の開口部１０２ｃを介してフロントキャビネット１０２の外部に突出するとともに、フロントキャビネット１０２の内部に収納されるので、ディスクトレイ１０６ａに配置されたＤＶＤ（図示せず）を搬送する機能を有する。また、カバー部材１０７は、ねじ１５２によりＤＶＤ駆動装置本体部１０６ｂに取り付けられている。また、ＤＶＤ駆動装置１０６を制御するためのＤＶＤ用配線基板１０８は、メイン配線基板１０５の表面に対して垂直方向に延びるように取り付けられている。
【０００９】
また、図８および図９に示すように、ＤＶＤ用配線基板１０８を支持するための支持部材１０９には、一方端側にねじ挿入孔１０９ａが形成されたねじ取付部１０９ｂが設けられているとともに、他方端側にコの字形状に形成された配線基板支持部１０９ｃが設けられている。また、ねじ取付部１０９ｂのねじ挿入孔１０９ａを介してメイン配線基板１０５にねじ１５３が取り付けられることにより、支持部材１０９がメイン配線基板１０５に取り付けられている。また、コの字形状に形成された配線基板支持部１０９ｃの先端部には、ＤＶＤ用配線基板１０８が配置される切欠部１０９ｄが設けられている。
【００１０】
【特許文献１】特開平５−２４２６６１号公報
【特許文献２】実用新案登録第３０９００８５号公報
【特許文献３】実用新案登録第３１０７００４号公報
【考案の開示】
【考案が解決しようとする課題】
【００１１】
しかしながら、図８に示した従来のＤＶＤ一体型テレビジョン１０１では、メイン配線基板１０５に対して垂直方向に延びるように取り付けられたＤＶＤ用配線基板１０８を支持部材１０９の切欠部１０９ｄに配置することにより支持することが可能である一方、支持部材１０９を別個に設ける必要があるので、その分、部品点数が増加するという問題点があった。
【００１２】
また、上記特許文献１に開示されたＶＴＲの構造では、メカデッキの３つのコネクタと中継基板の３つのコネクタとを接続することにより、中継基板がメカデッキに取り付けられているので、メカデッキおよび中継基板に、それぞれ、３つのコネクタを設ける必要がある。したがって、その３つのコネクタを１つのコネクタで共用することにより、部品点数を削減するのが困難であるので、その分、部品点数が増加するという問題点がある。
【００１３】
また、上記特許文献２に開示されたＤＶＤデッキの構造では、ＤＶＤユニットがホルダに水平方向に支持されるメイン基板およびプログレッシブ基板と水平方向に隣接するように設けられているので、ホルダに水平方向に支持されるメイン基板およびプログレッシブ基板を配置するための領域をＤＶＤユニットを配置する領域とは別に設ける必要がある。これにより、ＤＶＤデッキが大型化するという問題点がある。
【００１４】
また、上記特許文献３に開示されたディスク装置の構造では、ディスク駆動機構の本体に設けられた２つの係止爪と、トップカバーに設けられた３つの膨出部とにより、ディスク駆動機構の本体の上面に載置された配線基板が位置決めされている。一方、ＤＶＤ一体型テレビジョンでは、ディスク装置の上方にＣＲＴが配置されているので、ディスク装置の上面とトップカバー（筐体）との間に大きな空間を有する。したがって、ＤＶＤ一体型テレビジョンでは、トップカバー（筐体）に膨出部を設け、ディスク装置の上面に載置された配線基板の位置決めを行うことが困難であるので、ＤＶＤ一体型テレビジョンに上記特許文献３に開示されたディスク装置の構造を適用するのは困難である。また、特許文献３において、配線基板に接続する中継基板を設けた場合には、この中継基板を支持する部材が別途必要になると考えられる。
【００１５】
この考案は、上記のような課題を解決するためになされたものであり、この考案の１つの目的は、部品点数が増加するのを抑制しながら、小型化を図ることが可能なディスク装置付きテレビジョンおよびディスク装置付き表示装置を提供することである。
【課題を解決するための手段および考案の効果】
【００１６】
この考案の第１の局面によるディスク装置付きテレビジョンは、ディスク装置本体を含むディスク装置と、少なくともディスク装置により再生される映像を表示する陰極線管と、ディスク装置本体の上面に設けられたカバー部材と、ディスク装置を制御するための第１配線基板と、陰極線管による表示動作を制御するための第２配線基板とを備えたディスク装置付きテレビジョンにおいて、カバー部材は、取付部を含み、第１配線基板は、カバー部材の取付部に取り付けられているとともに、第１配線基板の表面と平行な方向に突出した第１端子部を含み、第２配線基板は、ディスク装置本体の下方にディスク装置本体と重なるように配置され、第２配線基板の表面に対して垂直方向に延びるように取り付けられているとともに、第１配線基板に支持され、かつ、第１配線基板と第２配線基板との間に配置された中継基板と、第２配線基板の下方に配置されているとともに、第２配線基板およびディスク装置を支持する保持部材とをさらに備え、保持部材は、中継基板の側端面を第２配線基板に対して垂直方向に延びるようにガイドするためのガイド部を一体的に含み、中継基板は、第１配線基板の第１端子部が挿入される第１端子挿入孔と、中継基板の表面と平行な方向に突出した第２端子部とを含み、第１配線基板の第１端子部が中継基板の第１端子挿入孔に挿入された状態で、半田により第１配線基板の第１端子部と中継基板とが電気的に接続され、第２配線基板は、中継基板の第２端子部が挿入される第２端子挿入孔と、保持部材のガイド部が第２配線基板から上方へ突出するように配置されるガイド部挿入孔とを含み、中継基板の第２端子部が第２配線基板の第２端子挿入孔に挿入された状態で、半田により中継基板の第２端子部と第２配線基板とが電気的に接続されている。
【００１７】
この第１の局面によるディスク装置付きテレビジョンでは、上記のように、ディスク装置本体の上面に設けられたカバー部材に取付部を設けるとともに、そのカバー部材の取付部にディスク装置を制御するための第１配線基板を取り付けることによって、第１配線基板を支持するための支持部材を別個に設ける必要がないので、その分、部品点数が増加するのを抑制することができる。また、ディスク装置を制御するための第１配線基板と、陰極線管による表示動作を制御するための第２配線基板との間に中継基板を配置するとともに、第１配線基板に第１端子部を設け、かつ、中継基板に第１端子部が挿入される第１端子挿入孔を設けることによって、中継基板を支持する部材を別途設けることなく、第１配線基板により中継基板を支持することができるので、これによっても、部品点数が増加するのを抑制することができる。また、ディスク装置の上面に設けられ、カバー部材の取付部にディスク装置を制御するための第１配線基板を配置することによって、ディスク装置を制御するための配線基板がディスク装置と隣接するように配置されている場合と異なり、ディスク装置付きテレビジョンの小型化を図ることができる。また、ディスク装置本体の下方にディスク装置本体と重なるように、陰極線管による表示動作を制御するための第２配線基板を設けることによって、陰極線管による表示動作を制御するための配線基板がディスク装置と隣接するように配置されている場合と異なり、ディスク装置付きテレビジョンの小型化をより図ることができる。これらにより、部品点数が増加するのを抑制しながら、ディスク装置付きテレビジョンの小型化を図ることができる。
【００１８】
また、第１の局面では、第１配線基板の第１端子部が中継基板の第１端子挿入孔に挿入された部分近傍で、半田により第１配線基板の第１端子部と中継基板とを電気的に接続するように構成することによって、コネクタなどを用いることなく第１配線基板と中継基板とを電気的に接続することができるので、これによっても、部品点数の増加を抑制することができる。また、中継基板に、第２端子部を設けるとともに、第２配線基板に、中継基板の第２端子部が挿入される第２端子挿入孔を設けることによって、中継基板の第２端子部を第２配線基板の第２端子挿入孔に挿入することにより、中継基板を第２配線基板に取り付けることができる。また、中継基板の第２端子部が第２配線基板の第２端子挿入孔に挿入された部分近傍で、半田により中継基板の第２端子部と第２配線基板とを電気的に接続するように構成することによって、コネクタなどを用いることなく中継基板と第２配線基板とを電気的に接続することができるので、これによっても、部品点数の増加を抑制することができる。また、第２配線基板の下方に、第２配線基板およびディスク装置を支持する保持部材を設けるとともに、保持部材に、中継基板の側端面を第２配線基板に対して垂直方向に延びるようにガイドするためのガイド部を一体的に設け、かつ、第２配線基板に、保持部材のガイド部が第２配線基板から上方へ突出するように配置されるガイド部挿入孔を設けることによって、中継基板を第２配線基板に取り付ける際に、容易に、中継基板を第２配線基板の表面に対して垂直方向に延びるように取り付けることができる。
【００１９】
この考案の第２の局面によるディスク装置付き表示装置は、ディスク装置本体を含むディスク装置と、少なくともディスク装置により再生される映像を表示する陰極線管と、ディスク装置本体の上面に設けられているとともに、取付部を含むカバー部材と、カバー部材の取付部に取り付けられているとともに、ディスク装置を制御するための第１配線基板と、ディスク装置本体の下方にディスク装置本体と重なるように配置されているとともに、陰極線管による表示動作を制御するための第２配線基板と、第２配線基板の表面に対して垂直方向に延びるように取り付けられているとともに、第１配線基板に支持され、かつ、第１配線基板と第２配線基板との間に配置された中継基板とを備え、第１配線基板は、第１配線基板の表面と平行な方向に突出した第１端子部を含み、中継基板は、第１配線基板の第１端子部が挿入される第１端子挿入孔を含む。
【００２０】
この第２の局面によるディスク装置付き表示装置では、上記のように、ディスク装置本体の上面に設けられたカバー部材に取付部を設けるとともに、そのカバー部材の取付部にディスク装置を制御するための第１配線基板を取り付けることによって、第１配線基板を支持するための支持部材を別個に設ける必要がないので、その分、部品点数が増加するのを抑制することができる。また、ディスク装置を制御するための第１配線基板と、陰極線管による表示動作を制御するための第２配線基板との間に中継基板を配置するとともに、第１配線基板に第１端子部を設け、かつ、中継基板に第１端子部が挿入される第１端子挿入孔を設けることによって、中継基板を支持する部材を別途設けることなく、第１配線基板により中継基板を支持することができるので、これによっても、部品点数が増加するのを抑制することができる。また、ディスク装置の上面に設けられ、カバー部材の取付部にディスク装置を制御するための第１配線基板を配置することによって、ディスク装置を制御するための配線基板がディスク装置と隣接するように配置されている場合と異なり、ディスク装置付き表示装置の小型化を図ることができる。また、ディスク装置本体の下方にディスク装置本体と重なるように、陰極線管による表示動作を制御するための第２配線基板を設けることによって、陰極線管による表示動作を制御するための配線基板がディスク装置と隣接するように配置されている場合と異なり、ディスク装置付き表示装置の小型化をより図ることができる。これらにより、部品点数が増加するのを抑制しながら、ディスク装置付き表示装置の小型化を図ることができる。
【００２１】
この考案の第２の局面によるディスク装置付き表示装置において、好ましくは、第１配線基板の第１端子部が中継基板の第１端子挿入孔に挿入された状態で、半田により第１配線基板の第１端子部と中継基板とが電気的に接続されている。このように構成すれば、コネクタなどを用いることなく第１配線基板と中継基板とを電気的に接続することができるので、これによっても、部品点数増加を抑制することができる。
【００２２】
この考案の第２の局面によるディスク装置付き表示装置において、好ましくは、中継基板は、中継基板の表面と平行な方向に突出した第２端子部を含み、第２配線基板は、中継基板の第２端子部が挿入される第２端子挿入孔を含む。このように構成すれば、中継基板の第２端子部を第２配線基板の第２端子挿入孔に挿入することにより、中継基板を第２配線基板に取り付けることができる。
【００２３】
この場合、好ましくは、中継基板の第２端子部が第２配線基板の第２端子挿入孔に挿入された状態で、半田により中継基板の第２端子部と第２配線基板とが電気的に接続されている。このように構成すれば、コネクタなどを用いることなく中継基板と第２配線基板とを電気的に接続することができるので、これによっても、部品点数増加を抑制することができる。
【００２４】
この考案の第２の局面によるディスク装置付き表示装置において、好ましくは、第２配線基板の下方に配置されているとともに、第２配線基板およびディスク装置を支持する保持部材をさらに備え、保持部材は、中継基板の側端面を第２配線基板に対して垂直方向に延びるようにガイドするためのガイド部を一体的に含み、第２配線基板は、保持部材のガイド部が第２配線基板から上方へ突出するように配置されるガイド部挿入孔を含む。このように構成すれば、中継基板を第２配線基板に取り付ける際に、容易に、中継基板を第２配線基板の表面に対して垂直方向に延びるように取り付けることができる。
【考案を実施するための最良の形態】
【００２５】
以下、本考案を具体化した実施形態を図面に基づいて説明する。
【００２６】
図１は、本考案の一実施形態によるＤＶＤ一体型テレビジョンの全体構成を示した斜視図である。図２は、図１に示した一実施形態によるＤＶＤ一体型テレビジョンの分解斜視図である。図３〜図６は、図１に示した一実施形態によるＤＶＤ一体型テレビジョンの詳細構造を説明するための図である。図１〜図６を参照して、本考案の一実施形態によるＤＶＤ一体型テレビジョンの構造について説明する。なお、本実施形態では、ディスク装置付き表示装置（テレビジョン）の一例であるＤＶＤ一体型テレビジョンに本考案を適用した場合について説明する。
【００２７】
本考案の一実施形態によるＤＶＤ一体型テレビジョン１は、図１および図２に示すように、ＤＶＤ一体型テレビジョン１の外枠を構成するフロントキャビネット２およびリアキャビネット３と、フロントキャビネット２に取り付けられたＣＲＴ（陰極線管）４と、樹脂製のホルダ５と、ＣＲＴ４による表示動作を制御するためのメイン配線基板６と、図示しないＤＶＤ（デジタル多用途ディスク）を駆動させるためのＤＶＤ駆動装置７と、ＤＶＤ駆動装置７の上面に設けられている金属製のカバー部材８と、中継基板９と、ＤＶＤ駆動装置７を制御するためのＤＶＤ用配線基板１０と、ＣＲＴ４の電圧を制御するためのＣＲＴ用配線基板１１とを備えている。なお、ホルダ５は、本考案の「保持部材」の一例であり、ＤＶＤ駆動装置７は、本考案の「ディスク装置」の一例である。また、メイン配線基板６およびＤＶＤ用配線基板１０は、本考案の「第２配線基板」および「第１配線基板」の一例である。
【００２８】
また、フロントキャビネット２には、図１、図２および図６に示すように、ＣＲＴ４の表示領域４ａが露出される表示窓２ａと、底面２ｂと、底面２ｂに形成された一対のレール部２ｃと、電源などの各種操作ボタンが配置される操作部２ｄと、後述するＤＶＤ駆動装置７のディスクトレイ７ａをフロントキャビネット２の外部へ突出させるための開口部２ｅと、後述するメイン配線基板６の端子接続部６３が配置される端子差込孔２ｆと、メイン配線基板６を保持するための保持用リブ部２ｇ（図６参照）と、ＣＲＴ４を取り付けるためのねじ取付孔２ｈ（図６参照）とが設けられている。また、図１および図２に示すように、フロントキャビネット２の開口部２ｅには、ＤＶＤ駆動装置７のディスクトレイ７ａの突出および収納に連動して開閉するドア部材２１が取り付けられている。
【００２９】
また、リアキャビネット３には、図２に示すように、底面３ａと、底面３ａに形成された一対のレール部３ｂと、メイン配線基板６を保持するための保持用リブ部３ｃとが設けられている。また、リアキャビネット３は、フロントキャビネット２に対して図示しないねじを締め付けることにより、フロントキャビネット２に取り付けられている。
【００３０】
また、ＣＲＴ４は、図１、図２および図６に示すように、表示領域４ａがフロントキャビネット２の表示窓２ａから露出した状態でフロントキャビネット２に取り付けられている。このＣＲＴ４は、表示領域４ａと、電子ビームを発射させる電子銃４ｂと、真空領域を形成するガラス管４ｃと、ガラス管４ｃに巻き付けられる鉄製の防爆バンド４ｄとを含んでいる。また、ＣＲＴ４の防爆バンド４ｄは、真空状態のガラス管４ｃが破壊により爆発的に収縮するのを防止する機能を有するとともに、ＣＲＴ４をフロントキャビネット２に取り付けるためのねじ挿入孔４ｅが形成されているねじ取付部４ｆを含んでいる。そして、ねじ取付部４ｆのねじ挿入孔４ｅを介してフロントキャビネット２のねじ取付孔２ｈ（図６参照）にねじ５１が取り付けられることにより、ＣＲＴ４がフロントキャビネット２に取り付けられている。
【００３１】
また、樹脂製のホルダ５は、図２および図６に示すように、フロントキャビネット２の一対のレール部２ｃおよびリアキャビネット３の一対のレール部３ｂと係合する４つのレール係合部５ａと、中継基板９を垂直方向にガイドするガイド部５ｂと、メイン配線基板６を取り付けるためのねじ取付孔５ｃと、ＤＶＤ駆動装置７を取り付けるためのねじ取付孔５ｄとを含んでいる。また、ホルダ５のレール係合部５ａは、フロントキャビネット２とリアキャビネット３とが組み立てられた際に、フロントキャビネット２のレール部２ｃおよびリアキャビネット３のレール部３ｂと係合することにより、ホルダ５がフロントキャビネット２およびリアキャビネット３に取り付けられるように構成されている。
【００３２】
また、ＣＲＴ４の表示動作を制御するためのメイン配線基板６は、図２および図４〜図６に示すように、片面（一方方面６ｆ）にのみ配線が形成される片面基板からなるとともに、ＤＶＤ駆動装置７の下方にＤＶＤ駆動装置７と重なるように配置されている。このメイン配線基板６は、開口部６ａと、ホルダ５のねじ取付孔５ｃに対応する部分に形成されたねじ挿入孔６ｂと、ホルダ５のねじ取付孔５ｄに対応する部分に形成されたねじ挿入孔６ｃと、後述する中継基板９の端子部９ａが挿入される端子挿入孔６ｄと、ホルダ５のガイド部５ｂが上方へ突出するように配置されるガイド部挿入孔６ｅとを含んでいる。また、メイン配線基板６の一方表面６ｆには、アンテナ線を差し込むアンテナ差込部６１と、ＣＲＴ４に高電圧を供給するフライバックトランス（Ｆｌｙ  Ｂａｃｋ  Ｔｒａｎｓｆｏｒｍｅｒ）６２と、他の機器との接続の際に使用する端子接続部６３とが取り付けられている。また、ねじ挿入孔６ｂを介してホルダ５のねじ取付孔５ｃにねじ５２が取り付けられることにより、メイン配線基板６がホルダ５に取り付けられている。また、メイン配線基板６は、リアキャビネット３がフロントキャビネット２に取り付けられた際に、フロントキャビネット２の保持用リブ部２ｇおよびリアキャビネット３の保持用リブ部３ｃに保持されるように構成されている。なお、端子挿入孔６ｄは、本考案の「第２端子挿入孔」の一例である。
【００３３】
また、ＤＶＤ駆動装置７は、図２〜図５に示すように、ディスクトレイ７ａと、ディスクトレイ７ａが前後方向にスライド可能に取り付けられたＤＶＤ駆動装置本体部７ｂとを含んでいる。また、ディスクトレイ７ａは、前後方向にスライドすることにより、フロントキャビネット２の開口部２ｅを介してフロントキャビネット２の外部に突出するとともに、フロントキャビネット２の内部に収納されるので、ディスクトレイ７ａに配置された図示しないＤＶＤを搬送する機能を有する。また、ＤＶＤ駆動装置本体部７ｂには、ホルダ５のねじ取付孔５ｄおよびメイン配線基板６のねじ挿入孔６ｃに対応する部分に形成されるねじ挿入孔７ｃおよびねじ挿入用切欠７ｄと、カバー部材８を取り付けるためのねじ取付孔７ｅとが形成されている。そして、ねじ挿入孔７ｃおよびねじ挿入用切欠７ｄとメイン配線基板６のねじ挿入孔６ｃとを介してホルダ５のねじ取付孔５ｄにねじ５３が取り付けられることにより、ＤＶＤ駆動装置７がホルダ５に取り付けられている。また、ＤＶＤ駆動装置７の駆動時には、ＤＶＤ駆動装置本体部７ｂのピックアップ駆動部（図示せず）がメイン配線基板６の開口部６ａに配置されるように構成されている。なお、ＤＶＤ駆動装置本体部７ｂは、本考案の「ディスク装置本体」の一例である。
【００３４】
ここで、本実施形態では、ＤＶＤ駆動装置７の上面に設けられた金属製のカバー部材８には、図２〜図５に示すように、短手方向の両側端面に、それぞれ、段差部８ａが長手方向に延びるように設けられている。このカバー部材８の段差部８ａは、カバー部材８をＤＶＤ駆動装置本体７ｂに取り付ける際にカバー部材８の位置決めを行う機能を有する。また、カバー部材８の２つの段差部８ａの長手方向の両端部近傍には、それぞれ、ＤＶＤ駆動装置７のねじ取付孔７ｅに対応する部分にねじ挿入孔８ｂが形成されている。そして、ねじ挿入孔８ｂを介してＤＶＤ駆動装置７のねじ取付孔７ｅにねじ５４が取り付けられることにより、カバー部材８がＤＶＤ駆動装置７に取り付けられている。また、リアキャビネット３側に設けられた段差部８ａには、ＤＶＤ用配線基板１０を支持するためのリブ８ｃが設けられている。また、リブ８ｃには、ＤＶＤ用配線基板１０が配置される切欠部８ｄが形成されている。また、カバー部材８には、ＤＶＤ用配線基板１０をカバー部材８に取り付けるための取付部８ｅが一体的に設けられている。この取付部８ｅには、カバー部材８の上面から上方に突出するように設けられ、ＤＶＤ用配線基板１０をカバー部材８に取り付けるためのねじ取付孔８ｆと、ＤＶＤ用配線基板１０の位置規制用リブ部８ｇとが形成されている。このカバー部材８の位置規制用リブ部８ｇは、ＤＶＤ用配線基板１０をカバー部材８に取り付ける際にＤＶＤ用配線基板１０の位置決めを行う機能を有する。
【００３５】
また、本実施形態では、中継基板９は、図２〜図６に示すように、片面（一方表面９ｃ）にのみ配線が形成される片面基板からなるとともに、メイン配線基板６とＤＶＤ用配線基板１０との間に配置されている。また、中継基板９は、中継基板９と平行な方向に突出した端子部９ａと、後述するＤＶＤ用配線基板１０の端子部１０ａが挿入される端子挿入孔９ｂとを含んでいる。そして、中継基板９の端子部９ａがメイン配線基板６の端子挿入孔６ｄに挿入された状態で、半田（図示せず）によりメイン配線基板６の一方表面６ｆと中継基板９の端子部９ａとが電気的に接続されているとともに、半田７１（図６参照）によりメイン配線基板６の他方表面６ｇに中継基板９の端子部９ａが取り付けられている。これにより、中継基板９とメイン配線基板６との電気的な接続に影響を与えることなく、中継基板９がメイン配線基板６に取り付けられている。また、中継基板９は、中継基板９の長手方向の両側端面の下端部が、メイン配線基板６のガイド部挿入孔６ｅから上方に突出するように配置されるホルダ５のガイド部５ｂにガイドされることにより、垂直方向に延びるようにメイン配線基板６に取り付けられる。なお、端子部９ａは、本考案の「第２端子部」の一例であり、端子挿入孔９ｂは、本考案の「第１端子挿入孔」の一例である。
【００３６】
また、本実施形態では、ＤＶＤ駆動装置７を制御するためのＤＶＤ用配線基板１０は、図２〜図６に示すように、両面に配線が形成された両面基板からなるとともに、ＤＶＤ用配線基板１０と平行な方向に突出した端子部１０ａと、カバー部材８のねじ取付孔８ｆに対応する部分に形成されたねじ挿入孔１０ｂと、カバー部材８の切欠部８ｄが配置される切欠部１０ｃとを含んでいる。そして、ＤＶＤ用配線基板１０の端子部１０ａが中継基板９の端子挿入孔９ｂに挿入された状態で、半田（図示せず）により中継基板９の一方表面９ｃとＤＶＤ用配線基板１０の端子部１０ａとが電気的に接続されているとともに、半田７２（図６参照）により中継基板９の他方表面９ｄにＤＶＤ用配線基板１０の端子部１０ａが取り付けられている。これにより、ＤＶＤ用配線基板１０と中継基板９との電気的な接続に影響を与えることなく、中継基板９がＤＶＤ用配線基板１０に支持されている。また、ねじ挿入孔１０ｂを介してカバー部材８のねじ取付孔８ｆにねじ５５が取り付けられることにより、ＤＶＤ用配線基板１０がカバー部材８に取り付けられている。このとき、ＤＶＤ用配線基板１０の切欠部１０ｃが、カバー部材８の切欠部８ｄに配置されることにより、ＤＶＤ用配線基板１０がカバー部材８のリブ部８ｃに支持されている。なお、端子部１０ａは、本考案の「第１端子部」の一例である。
【００３７】
また、ＣＲＴ４の電圧を制御するためのＣＲＴ用配線基板１１には、図２および図６に示すように、ＣＲＴ４に接続される取付部１１ａが取り付けられている。また、ＣＲＴ用配線基板１１は、メイン配線基板６に取り付けられているフライバックトランス６２とケーブル６２ａにより接続されている。
【００３８】
本実施形態では、上記のように、ＤＶＤ駆動装置本体７ｂの上面に設けられたカバー部材８に取付部８ｅを設けるとともに、そのカバー部材８の取付部８ｅにＤＶＤ駆動装置７を制御するためのＤＶＤ用配線基板１０を取り付けることによって、ＤＶＤ用配線基板１０を支持するための支持部材を別個に設ける必要がないので、その分、部品点数が増加するのを抑制することができる。また、ＤＶＤ駆動装置７を制御するためのＤＶＤ用配線基板１０と、ＣＲＴ４による表示動作を制御するためのメイン配線基板６との間に中継基板９を配置するとともに、ＤＶＤ用配線基板１０に端子部１０ａを設け、かつ、中継基板９に端子部１０ａが挿入される端子挿入孔９ｂを設け、ＤＶＤ用配線基板１０の端子部１０ａを中継基板９の他方表面９ｄに半田７２で半田付けすることによって、中継基板９を支持する部材を別途設けることなく、ＤＶＤ用配線基板１０により中継基板９を支持することができるので、その分、部品点数が増加するのを抑制することができる。また、ＤＶＤ駆動装置７の上面に設けられ、カバー部材８の取付部８ｅにＤＶＤ駆動装置７を制御するためのＤＶＤ用配線基板１０を配置することによって、ディスク装置を制御するための配線基板がディスク装置と隣接するように配置されている場合と異なり、ＤＶＤ一体型テレビジョン１の小型化を図ることができる。また、ＤＶＤ駆動装置本体７ｂの下方にＤＶＤ駆動装置本体７ｂと重なるように、ＣＲＴ４による表示動作を制御するためのメイン配線基板６を設けることによって、陰極線管による表示動作を制御するための配線基板がディスク装置と隣接するように配置されている場合と異なり、ＤＶＤ一体型テレビジョン１の小型化をより図ることができる。これらにより、部品点数が増加するのを抑制しながら、ＤＶＤ一体型テレビジョン１の小型化を図ることができる。
【００３９】
また、本実施形態では、ＤＶＤ用配線基板１０の端子部１０ａが中継基板９の一方表面９ｃで、半田付けによりＤＶＤ用配線基板１０の端子部１０ａと中継基板９とを電気的に接続するように構成することによって、コネクタなどを用いることなくＤＶＤ用配線基板１０と中継基板９とを電気的に接続することができるので、これによっても、部品点数の増加を抑制することができる。
【００４０】
また、本実施形態では、中継基板９に、端子部９ａを設けるとともに、メイン配線基板６に、中継基板９の端子部９ａが挿入される端子挿入孔６ｄを設け、かつ、中継基板９の端子部９ａをメイン配線基板６の他方表面６ｇに半田７１により半田付けすることによって、容易に、中継基板９をメイン配線基板６に取り付けることができる。
【００４１】
また、本実施形態では、中継基板９の端子部９ａがメイン配線基板６の一方表面６ｆで、半田付けにより中継基板９の端子部９ａとメイン配線基板６とを電気的に接続するように構成することによって、コネクタなどを用いることなく中継基板９とメイン配線基板６とを電気的に接続することができるので、これによっても、部品点数の増加を抑制することができる。
【００４２】
また、本実施形態では、メイン配線基板６の下方に、メイン配線基板６およびＤＶＤ駆動装置７を支持するホルダ５を設けるとともに、ホルダ５に、中継基板９の両側端面の下端部をメイン配線基板６に対して垂直方向に延びるようにガイドするためのガイド部５ｂを一体的に設け、かつ、メイン配線基板６に、ホルダ５のガイド部５ｂがメイン配線基板６から上方へ突出するように配置されるガイド部挿入孔６ｅを設けることによって、中継基板９をメイン配線基板６に取り付ける際に、容易に、中継基板９をメイン配線基板６の表面に対して垂直方向に延びるように取り付けることができる。
【００４３】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４４】
たとえば、上記実施形態では、ＤＶＤ用配線基板をカバー部材にねじにより取り付ける例を示したが、本考案はこれに限らず、カバー部材にＤＶＤ用配線基板を取り付けるための係合部を設けるとともに、その係合部により、ＤＶＤ用配線基板をカバー部材に取り付けるようにしてもよい。
【００４５】
また、上記実施形態では、ホルダにガイド部を設けるとともに、メイン配線基板にガイド部挿入孔を設け、メイン配線基板のガイド部挿入孔に配置されたホルダのガイド部により中継基板の両側端面をガイドする例を示したが、本考案はこれに限らず、メイン配線基板にガイド部挿入孔を設ける代わりにガイド部を設け、そのガイド部により中継基板の両側端面をガイドするようにしてもよい。
【図面の簡単な説明】
【００４６】
【図１】本考案の一実施形態によるＤＶＤ一体型テレビジョンの全体構成を示した斜視図である。
【図２】図１に示した一実施形態によるＤＶＤ一体型テレビジョンの分解斜視図である。
【図３】図１に示した一実施形態によるＤＶＤ一体型テレビジョンのカバー部材近傍の分解斜視図である。
【図４】図１に示した一実施形態によるＤＶＤ一体型テレビジョンのＤＶＤ駆動装置近傍を示した斜視図である。
【図５】図１に示した一実施形態によるＤＶＤ一体型テレビジョンのＤＶＤ駆動装置近傍を示した平面図である。
【図６】図１に示した一実施形態によるＤＶＤ一体型テレビジョンのリアキャビネットを取り外した状態を示した正面図である。
【図７】従来のＤＶＤ一体型テレビジョンの全体構成を示した斜視図である。
【図８】図７に示した従来のＤＶＤ一体型テレビジョンのＤＶＤ駆動装置近傍を示した平面図である。
【図９】図７に示した従来のＤＶＤ一体型テレビジョンの支持部材を示した斜視図である。
【符号の説明】
【００４７】
１  ＤＶＤ一体型テレビジョン（ディスク装置付き表示装置）
４  ＣＲＴ（陰極線管）
５  ホルダ（保持部材）
５ｂ  ガイド部
６  メイン配線基板（第２配線基板）
６ｄ  端子挿入孔（第２端子挿入孔）
６ｅ  ガイド部挿入孔
７  ＤＶＤ駆動装置（ディスク装置）
７ｂ  ＤＶＤ駆動装置本体部（ディスク装置本体）
８  カバー部材
８ｅ  取付部
９  中継基板
９ａ  端子部（第２端子部）
９ｂ  端子挿入孔（第１端子挿入孔）
１０  ＤＶＤ用配線基板（第１配線基板）
１０ａ  端子部（第１端子部）
【図１】
0003120036.tif 000003
【図２】
0003120036.tif 000004
【図３】
0003120036.tif 000005
【図４】
0003120036.tif 000006
【図５】
0003120036.tif 000007
【図６】
0003120036.tif 000008
【図７】
0003120036.tif 000009
【図８】
0003120036.tif 000010
【図９】
0003120036.tif 000011